(57)【要約】      （修正有）【課題】箪笥内に収納した状態でも簡単に柄や色彩等を外から視認することのできるたとう紙を提供する。【解決手段】和服等を載置する矩形上の中央底片部１１と、該中央底片部の四辺に一体連接する覆い部となる折曲片１２、１３、１４、１５と、該折曲片に取付けられた紐体３ａ、３ｂを有してなり、折畳み時に側辺部に該当する部分の所定位置に視認窓５が形成されている。【選択図】図１
0003164272.tif 000002
【実用新案登録請求の範囲】
【請求項１】
着物を載置する矩形上の中央底片部と、該中央底片部の四辺に一体連接する折曲片と、該折曲片に取付けられた紐体を有してなり、
折畳み時に前記折曲片が覆い部となって構成されるものであって、折畳み時に側辺部に該当する部分の所定位置に視認窓が形成されていることを特徴とするたとう紙。
【請求項２】
着物を載置する矩形上の中央底片部と、該中央底片部の四辺に一体連接する折曲片と、該折曲片に取付けられた紐体を有してなり、
折畳み時に折曲片が覆い部となって構成されるものであって、折畳み時に側辺部に該当する部分の所定位置に視認窓が形成されており、かつ、側辺部の所定位置にメモ記入部が設けられていることを特徴とするたとう紙。
【請求項３】
前記視認窓が長手方向に向けて複数設けられていることを特徴とする請求項１又は２に記載のたとう紙。
【請求項４】
前記視認窓が箪笥収納時における正面側及び背面側の双方の側辺部に設けられていることを特徴とする請求項１又は２又は３に記載のたとう紙。
【考案の詳細な説明】
【技術分野】
【０００１】
本考案は、折り畳んだ着物等を包み込んで箪笥に保存するためのたとう紙（畳紙）に関するものである。詳しくは、従前にある着物等の収納に使用されているたとう紙に改良を加え利便性を備えた従前のたとう紙に替わるものである。
【背景技術】
【０００２】
和服や帯或いは襦袢等着物を収納保存するためには、従前からたとう紙が一般に用いられている。この種のたとう紙は、比較的厚手の和紙等を所定の形状に裁断、貼り合わせ等するとともに折り目や窓部を設け、前後、左右を三つ折りにした後にその端を折り曲げて紐体で結び合わせて中のものが落ちないようにしてある。また、必要に応じて全体的或いは所定部位に漆や渋などを塗布しておき耐候性を与えておくものも認められる。
【考案の開示】
【考案が解決しようとする課題】
【０００３】
しかしながら、従来使用されているたとう紙は、内部に収納された着物（和服や帯や襦袢等）の柄や色彩等を視認するための窓部が覆い部である折曲片に形成されている。即ち、たとう紙の上面側に視認窓が形成されているため、箪笥の和服収納引出し棚等内で積み重ねられた状態では、内部に収納されている着物の柄や色彩等の特徴が直接視認することができない。最上部に載置されたたとう紙内の着物の柄等収納物は上面から視認できるのみであり、最上部から２番目以降のたとう紙内の収納物を確認するためには、記憶を頼りに順次箪笥から取り出したり、また、上側のものから順次めくったり紐を解いて確認せざるを得ず、目的の着物等を探すのに時間を要し極めて煩雑であるといった問題点を有している。
【０００４】
特に、和装呉服店等にあっては、商品として収納され置かれている多数の重ねたたとう紙から、短時間に目的の着物等を出すには、従前の取扱いの記憶に頼らざるを得ず、誰でもが外から収納物を短時間に容易に視認でき、多数重ねられたたとう紙から目的の着物等を容易に探し出し提示できるたとう紙への工夫が要望されていたものである。
【課題を解決するための手段】
【０００５】
本考案は上記したような従来使用されているたとう紙の課題に着目して出願人、考案者が工夫しなされたもので、箪笥内に収納した状態でも簡単に目的の着物や柄や色彩等を確認することのできる、たとう紙を提供することを目的として提案されたものである。
【０００６】
上記目的を達成するために、本考案の請求項１に記載のたとう紙は、着物等を載置する矩形状の中央底片部と、該中央底片部の四辺に一体連接する折曲片と、該折曲片に取付けられた紐体を有してなり、折畳み時に折曲片が覆い部となって構成されるものであって、折畳み時に側辺部に該当する部分の所定位置に視認窓が形成されていることを特徴とする。
【０００７】
請求項２に記載のたとう紙は、上記視認窓に加えて側辺部の所定位置にメモ記入部を設けておくことを特徴とする。
【０００８】
請求項３に記載のたとう紙は、前記視認窓が長手方向に向けて複数設けることを特徴とする。
【０００９】
請求項４に記載のたとう紙は、前記視認窓を箪笥に保管収納状態において手前側である正面側及び奥側である背面側の双方の側辺部に設けることを特徴とする。
【考案の効果】
【００１０】
本考案のたとう紙によれば、視認窓がたとう紙の側辺部に形成されているため、箪笥の和服収納引出し棚等内で積み重ねられていても、この視認用窓部を手前側にくるようにしておけば、一々収納物を取り出したりずらしたりすることなく、短時間に収納物である着物やその柄や色彩等を視認することが容易に可能となり、視認窓から収納物が容易に判別できる。
【００１１】
また、請求項２に記載のたとう紙によれば、側辺部にメモ記載部が設けられているので、そこに特記事項を記載して入れておけば、収納された着物等の柄とともにその着物等の特記内容を容易に把握することが可能となる。また、このメモ記載部を利用して季節に応じた色分け等をしておけば季節物のインデックスにもなる。
【００１２】
また、請求項３に記載のたとう紙によれば、視認窓が長手方向に複数設けられているので、着物等のほぼ全体の柄や色彩などが容易に視認できる。
【００１３】
また、請求項４に記載のたとう紙によれば、視認窓が手前側（正面側）と奥側（背面側）の両側の側辺部に形成されているので、着物等収納状態により１８０度回転させても収納物である着物の柄や色彩等を容易に視認することができる。
【考案を実施するための最良の形態】
【００１４】
以下、本考案を実施するための形態を図面に基づいて説明する。図１は本考案のたとう紙の展開状態を示したもので、図２は内部に着物等を収納した状態を示す斜視図である。
【００１５】
図１に示すように本考案のたとう紙１は、中央底片部１１とその左右（長手方向）端側に夫々折り目線６ａ、６ｂを経て折曲片１２、１３を、前後（短手方向）端側に夫々折り目線６ｃ、６ｄを経て折曲片１４、１５が設けられている。これらの折曲片１２〜１５には，夫々紐体３が接着片等により固定されている。
【００１６】
底片部１１と折曲片１５とを画定する境界にある折り目線６ｄを跨いで視認窓５が切り取りされている。また背面側と認められる底辺部１１と折曲片１４とを画定する境界にある折り目線６ｃを跨いで視認窓５が切り取りされている。図示による本実施例においては、この視認窓５は長手方向及び短手方向に３箇所形成されている。
【００１７】
視認窓５には，夫々透通部を塞ぐように透明フィルム７が貼付けられている。
【００１８】
折曲片１２、１３、１４．１５が交わる内側角部には，夫々三角片８が貼付けされており、これによりたとう紙を畳んだときに塵、埃、光線などが四隅から内部に入り込むのを防止できる。
【００１９】
図１に示すように展開されたたとう紙１の中央底片部１１に折り畳んだ着物等を載せておき、左右の折曲片１２、１３を折り目線６ａ、６ｂに沿って折曲げ、紐３ａと３ｂでもって相互に結びつける。
【００２０】
次いで折曲片１４、１５を夫々折り目線６ｃ、６ｄに沿って折曲げ、紐３ｃと３ｄを結びつける。
【００２１】
折り目線６ａ、６ｂ及び６ｃ、６ｄは、あくまでも折曲げの目安となる仮想線であって具体的に線が引いてあるものではない。また、実際には折り目は線とならず撓んだ湾曲状面となるものである。
【００２２】
このようにして着物等がたとう紙１内に収納された状態を図２に示す。このとき、中央底片部１１と折曲片１５及び１４との仮想折り目線６ｄ、６ｃ上にある視認窓５によって内部の着物等の柄や色彩が容易に視認できる。視認窓５の個数や大きさは特に限定されるものではなく、上下寸法が好ましくは３〜１０センチメートル、横寸法が３〜１０センチメートル程度あれば、内部の着物の柄や色彩等を容易に視認できる。また、この視認窓５の形状は矩形を例にとって図示したが、これに限定されるものではなく、円形、楕円形であっても良いことはいうまでもない。大きさも任意に定めれば良い。
【００２３】
図２に示すように、手前側側辺部に視認窓５が位置し、内部の着物等の内容を視認できるが、本考案はこれに加えて視認窓５の横側近傍にメモ記入部９を設けておき、ここに収納物である着物等の購入日や洗い張りの日時等の特記事項を記入したメモ等を入れておくことにより、収納物の特記事項を容易に確認することができる。また、このメモ記入部９自体を色分けしておけば、収納物を季節毎に容易に分類することが可能となり整理に役立つものである。例えば、春物であるならば桃色、秋冬物であるならば茶色、浴衣等の夏物であるならば青色のごときである。
【００２４】
着物をたとう紙１に収納した後、箪笥の和服収納引出し棚等に順次載置していくときに、収納物の厚さが左右で異なる場合が有る。この場合には、１８０度回転させて載置させた方が引出し棚にバランス良く均等に入ることになる。この場合に、正面側である一方の辺側にのみしか視認窓５が形成されていないと、視認窓５が箪笥の奥側に位置して視認不可能となる。これを回避するために本考案においては箪笥収納時における正面側及び背面側の双方に視認窓５を形成しておくものである。即ち、１８０度回転させても背面側の視認窓が正面に位置することで視認できることになる。
【図面の簡単な説明】
【００２５】
【図１】本考案の一実施形態を示す展開斜視図。
【図２】本考案の一実施形態を示す収納状態斜視図。
【符号の説明】
【００２６】
１・・・たとう紙
３ａ・・ 紐体
３ｄ・・ 紐体
５・・・視認窓
６ａ ・・折り目線（仮想折り目線）
６ｄ ・・折り目線（仮想折り目線）
７・・・透明フィルム
９・・・メモ記入部
１１・・中央底片部
１２〜１５・・折曲片
【図１】
0003164272.tif 000003
【図２】
0003164272.tif 000004